(57)【特許請求の範囲】
【請求項１】
帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記サイズ調整部とバックル部にノコ歯状の係合歯を形成すると共に、両係合歯を、環状のヘッドバンドが締まる方向には動くことができ、広がる方向にはロックされるように、相互に係合せしめ、上記サイズ調整部とバックル部の各端部を相互に離れる方向に引っ張って締めるように構成し、さらに、バックル部周辺を柔らかくしたことを特徴とするヘルメットのヘッドバンド。
【請求項２】
上記サイズ調整部とバックル部の各端部に、それぞれ指掛片を突設したことを特徴とする請求項１に記載のヘルメットのヘッドバンド。
【請求項３】
帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記取付片に、縦方向に並べた複数の孔を形成し、これらの孔をスリットにより連通せしめ、被り深さを調節自在にしたことを特徴とするヘルメットのヘッドバンド。
【請求項４】
帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記サイズ調整部及び上記バックル部を、上方に円弧状に湾曲して形状したことを特徴とするヘルメットのヘッドバンド。
【請求項５】
帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記バックル部の基部両側にベルト押さえを形成すると共に、基板部との間にスリットを開設したことを特徴とするヘルメットのヘッドバンド。
【発明の詳細な説明】
【０００１】
【発明の属する技術分野】
本発明は、ヘルメットのヘッドバンドに関する。
【０００２】
【従来の技術】
一般に、ヘルメットは、図８に示すように、ヘルメット殻体Ｋの内側にハンモックＭやヘッドバンドＨなどの内装部材を装備して、着用者の頭部を衝撃から守るようになっている。
【０００３】
上記従来のヘッドバンドＨは、装着者の額をしっかり押さえるように構成されているため、顔の表情の動きが制限されて非常に窮屈な状態であった。特に、上方を確認しようとして目を上方に向けても、いわゆる上目ずかいの表情が窮屈となる。その結果、必要な上方確認を怠りがちになり、事故につながる危険性があった。また、ヘッドバンドＨによる額の押さ付けにより、ヘルメット殻体Ｋ内に熱がこもって、非常に鬱陶しく感じる。この鬱陶しさを回避するために額に空気に触れさせようとすることで、いわゆるアミダ被りになってしまい、結果的に危険な装着を助長させていた。さらに、ヘルメットを被った状態では、額の位置のヘッドバンドＨが前から見えてしまい、見苦しい等の問題があった。
【０００４】
また、上記従来のヘッドバンドＨは、その後頭部に当たる部分が真っ直ぐな形状あるいは下方に円弧状に湾曲した形状となっていた。真っ直ぐな形状のものは、ヘッドバンドＨを頭部にぴったり合うようにさせようとすると、一番堅い部分であるバックル部Ｂが後頭部に接触したり、バックル部Ｂの両側方部分が浮いて（頭から離れて）しまって、ヘッドバンドＨによる後頭部の感触やホールド感が悪かった。一方、下方に円弧状に湾曲した形状では、着用者が真っ直ぐ前を見ている状態では、後頭部にぴったり合うように感じるが、上方確認の際に前頭部を上に振ると、首の後ろの部分にヘッドバンドＨが引っ掛かってしまい、それによってヘルメット自体が前にズレてしまうこと等の不快感を感じ、また、ヘルメットの鍔部も下がってしまうため、上方確認が困難であった。
【０００５】
さらに、上記従来のヘッドバンドＨは、その被り深さを調節しようとする場合、ハンモックＭとヘッドバンドＨを連結している鋲Ｙを一旦抜き取り、その後、被り深さを調節してから、再び鋲Ｙを付け直さなければならず、非常に手間や時間がかかっていた。
【０００６】
また更に、上記従来のヘッドバンドＨは、そのサイズ調節手段として、バンドの一端部のサイズ調整部Ｓに穿設された多数の孔を、バンドの他端部のバックルＢに形成した突起に嵌合させるように構成されているため、調節ピッチが粗くて微調整ができなかった。この欠点を解消するものとして、従来、調節ピッチが細かいノコ歯式のものがあるが、ノコ歯が表面から突出しているため、破損したり汚れ易い等の問題があった。
【０００７】
更にまた、上記従来のヘッドバンドＨは、上記サイズ調整部ＳをバックルＢに押し込む方法によりサイズ調整が行われるのが一般的であった。しかし、サイズ調整部Ｓは被り心地を良くするために、通常は剛性を弱くして柔軟性に富むように製作されているため、これを押し込もうとすると、座屈して簡単に外方に湾曲してしまってサイズ調整が難しく、特に頭囲ザイズが大きい人はサイズ調整が困難で締められない等の問題点があった。
【０００８】
また、上記従来のヘッドバンドＨは、バックルＢの基部の中央部が開設されていて強度が弱く、何らかの原因により、この部分から切断する恐れがあった。そのため、両側で強度を持たす構造としなければならず、必然的に両側部分が長手方向に堅くなって、被り心地に悪影響をきたしていた。一方、バックルＢの基部の両側に小さいフック状のものを多数並べた形状でも、各フックの付け根の強度が足りないため、これも補強せざるを得ず、その結果、長手方向に堅くなって被り心地に悪影響をきたしていた。更に、フック状のものは、ベルトを押さえるという点でも確実性に欠けていた。
【０００９】
【発明が解決しようとする課題】
本発明は、上記従来の問題点を解決するためになされたもので、その目的とするところは、安全で装着感がよく、操作性がよくて見栄えがよいヘルメットのヘッドバンドを提供することにある。
【００１０】
【課題を解決するための手段】
本発明のヘルメットのヘッドバンドは、帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記サイズ調整部とバックル部にノコ歯状の係合歯を形成すると共に、両係合歯を、環状のヘッドバンドが締まる方向には動くことができ、広がる方向にはロックされるように、相互に係合せしめ、上記サイズ調整部とバックル部の各端部を相互に離れる方向に引っ張って締めるように構成し、さらに、バックル部周辺を柔らかくしたことを特徴とする。また、上記サイズ調整部とバックル部の各端部に、それぞれ指掛片を突設したことを特徴とする。さらに、帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記取付片に、縦方向に並べた複数の孔を形成し、これらの孔をスリットにより連通せしめ、被り深さを調節自在にしたことを特徴とする。又更に、帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記サイズ調整部及び上記バックル部を、上方に円弧状に湾曲して形状したことを特徴とする。更に又、帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記バックル部の基部両側にベルト押さえを形成すると共に、基板部との間にスリットを開設したことを特徴とするものである。
【００１１】
【発明の実施の形態】
以下、本発明の実施の形態について、図面を参照しながら説明する。
図１において、Ｈはヘッドバンドであって、ハンモックＭを介してヘルメット殻体Ｋ内に装着される。上記ヘッドバンドＨは、図２からも明らかなように、主として帯状のバンド本体１と、該バンド本体１の一端側に一体的に設けられたサイズ調整部２と、前記バンド本体１の他端側に一体的に設けられたバックル部３と、該バンド本体１を上記ハンモックＭに取り付ける取付片４から構成されている。
【００１２】
上記バンド本体１は、取り付けた状態で前方から側方に亘る中央部１ａが高く、側方後部から後方に亘って下がるように形成されている。従って、図１からも明らかなように、バンド本体の中央部１ａの下縁が装着者の額上方に位置し、また、下縁が額との間に隙間ができるようにすると共に上縁で前頭部を押さえるように装着することができるので、装着者の上方確認時の額や眉の動きにゆとりをもった対応ができる空間を作ることができる。また、額に密着感がなく、熱を封じ込めないため、鬱陶しさも回避することができる。さらに、ヘルメット殻体Ｋの下縁からバンド本体１の中央部１ａが見えにくいため、装着時の見た目がスッキリとする。
【００１３】
図３（Ａ）に拡大して示すように、上記サイズ調整部２の内面側（ヘルメット装着者の頭部に面する側であって、図３（Ａ）において裏側）には、その長手方向に沿って多数の係合歯２ａが形成されている。該係合歯２ａの断面は、図３（Ｃ）に示すように、上記バンド本体１側が垂直面２ａ′に形成されると共に、外端側が傾斜面２ａ″に形成されたノコ歯状となっている。また、図３（Ｂ）から明らかなように、上記係合歯２ａは、サイズ調整部の両側縁部２ｂの内面２ｂ′から引っ込むように構成されている。従って、上記係合歯２ａが人体や障害物等に直接接触する恐れが極めて少なく、その結果、係合歯２ａの欠損や汚れの付着等を効果的に防止することができる。図３（Ｄ）から明らかなように、上記サイズ調整部２の先端部の外面には、指掛片２ｃが突設されている。該指掛片２ｃに指先を掛け易くするために、穴２ｄを開設しておくとよい。
【００１４】
上記バックル３は、図４（Ａ）に拡大して示すように、主として基板部３ａと、案内片３ｂと、係合歯３ｃと、プッシュ部３ｄから構成されている。図４（Ｂ）から明らかなように、上記案内片３ｂは上記基板部３ａとの間で、上記サイズ調整部２をスライド自在に案内するための挿通路３ｂ′を形成している。両案内片３ｂ間の基板部３ａには、複数の係合歯３ｃが形成されている。該係合歯３ｃは、図５に示すように、挿通された上記サイズ調整部２の係合歯２ａに噛み合うようになっている。該係合歯２ａもノコ歯状に形成されていて、その垂直面や傾斜面は、上記サイズ調整部２の係合歯２ａの垂直面２ａ′や傾斜面２ａ″とは逆方向に形成されている。その結果、両係合歯２ａ、３ｃは、環状のヘッドバンドＨが締まる方向（Ｘ方向）には動くことができ、広がる方向（Ｘの逆方向）にはロックされるように、噛み合っている。従って、上記サイズ調整部２の先端部の指掛片２ｃと、上記バックル３の案内片３ｂに、両手の指をそれぞれ掛けて、ヘッドバンドＨの両端を引っ張るようにして締めることができる。
【００１５】
図４（Ａ）（Ｂ）に示すように、端部側の案内片３ｂに指掛片３ｂ″を突設して、上記サイズ調整部２の先端部に形成した指掛片３ｃと共に、これらの指掛片３ｃおよび３ｂ″にそれぞれ両手の各指を掛けて、サイズ調整部２とバックル部３の各端部を相互に離れる方向に引っ張って、ヘッドバンドＨの締め付け調整をする。このように、引っ張り動作によりヘッドバンドＨを締めるようにしたため、頭周が大きくてもサイズ調整部２が途中で撓む（湾曲する）ようなことはなく、また、サイズ調整部２の剛性を堅くする必要がないため、柔らかく後頭部に当たることができ、被り心地を向上せしめることができる。
【００１６】
再び、図４において、上記プッシュ部３ｄは、基板部３ａの幅方向両側に隙間を隔てて位置すると共に、その両端部がブリッジ状に一体となっている。該プッシュ部３ｄには湾曲部分が形成されていて、その中央部分が内側に弾力的に撓み易いようになっている。プッシュ部３ｄの中央内側には、楔部３ｄ′が設けられている。該楔部３ｄ′の下側面には、斜面が形成されていると共に、上記基板部３ａの対応する箇所にも斜面が形成されている。プッシュ部３ｄの中央外側には、平板状の押込み片３ｄ″が設けられていて、上記プッシュ部３ｄを指等で押し込み易いようになっている。押込み片３ｄ″は、指による押し込み力がプッシュ部の中央に集中して伝わり、これを効果的に撓ませるように、中央の首部を介してプッシュ部３ｄの本体に接続されている。両プッシュ部３ｄを相互の方向に押し込むと、上記楔部３ｄ′の斜面により上記サイズ調整部２を浮き上がらせて、その係合歯２ａを上記バックル３の案内片３ｃとの噛み合いから切り離す。
【００１７】
図２（Ｂ）や図５から明らかなように、上記サイズ調整部２及び上記バックル部３は、上方に円弧状に湾曲した形状となっている。従って、装着者が頭を上に向けた時に、首との接触を避けることができるので、上方確認を支障無く行うことができ、作業安全を高めることができる。また、サイズ調整部２全体で後頭部を容易に押さえることができるため、フィット感を高めることができる。更に、後述するように、被り深さを適正に調節することによって、上方に円弧状に湾曲した形状の利点を最大限に利用できるため、より被り心地を向上せしめることができる。
【００１８】
図６（Ａ）から明らかなように、上記取付片４には、縦方向に並べた複数の孔４ａを形成し、これらの孔４ａをスリット４ｂにより連通させる。この孔４ａに上記ハンモックＭに突設した鋲状の接続具５を通し、ハンモックＭとヘッドバンドＨを接続するようになっている。上記接続具５はハンモックＭから独立分離して設けてもよい。従って、このスリット４ｂの嵌合を利用し、ヘッドバンドＨを上下に調節して、着用者にとってヘッドバンドＨが最適な位置になるように簡単に調節ができる。また、衝撃吸収時に生じるヘルメット殻体Ｋの上下運動の際、被り深さ調整機能が、縦に移動することによって、着用者の耳にかかる負担を軽減することができる。
【００１９】
図４（Ａ）および図４（Ｄ）において、上記バックル部３の基部の両側にベルト押さえ３ｅを形成し、基板部３ａとの間にスリット３ｅ′を開設している。従って、バックル部３の基部において、その中央部３ａの存在により強度を低下させることなく、しかも、ベルト押さえ３ｅに柔軟性を持たせることができるので、［０００８］で説明した従来のものに比べて、後頭部に柔らかく当てることができる。また、ベルト押さえ３ｅが板状なので、従来のフック状のものに比べて、サイズ調整部２を確実に押さえ込みすることができる。
【００２０】
図７は、上記ベルト押さえの別の実施例を示すもので、３ｆはベルト押さえ、３ｆ′はスリットであり、上記図４の実施例のベルト押さえ３ｅより小さく形成されているため、サイズ調整部２を外側から押し込むことにより、容易かつ迅速に掛け止めることができる。
【００２１】
【発明の効果】
１）帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記サイズ調整部とバックル部にノコ歯状の係合歯を形成すると共に、両係合歯を、環状のヘッドバンドが締まる方向には動くことができ、広がる方向にはロックされるように、相互に係合せしめ、上記サイズ調整部とバックル部の各端部を相互に離れる方向に引っ張って締めるように構成し、さらに、バックル部周辺を柔らかくして、引っ張り動作によりヘッドバンドを締めるようにしたため、サイズ調整部が途中で撓む（湾曲する）恐れはなく、さらに、バックル部周辺を柔らかくしたので、柔らかく後頭部に当たることができ、被り心地を向上せしめることができる。
２）  帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記取付片に、縦方向に並べた複数の孔を形成し、これらの孔をスリットにより連通せしめ、被り深さを調節自在にしたので、上記スリットの嵌合を利用し、ヘッドバンドを上下に調節して、着用者にとってヘッドバンドが最適な位置になるように簡単に調節できる。また、衝撃吸収時に生じるヘルメット殻体の上下運動の際、被り深さ調整機能が、縦に移動することによって、着用者の耳にかかる負担を軽減することができる。
３）帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記サイズ調整部及び上記バックル部を、上方に円弧状に湾曲して形状したので、装着者が頭を上に向けた時に、首との接触を避けることができて、上方確認を支障なく行うことができ、作業安全を高めることができるため、フィット感を高めることができる。
４）帯状のバンド本体と、該バンド本体の一端側に一体的に設けられたサイズ調整部と、前記バンド本体の他端側に一体的に設けられたバックル部と、上記バンド本体をハンモックに取り付ける取付片から構成されるヘッドバンドにおいて、上記バックル部の基部両側にベルト押さえを形成すると共に、基板部との間にスリットを開設したので、バックル部の基部において、その中央部の存在により強度を低下させることなく、しかも、ベルト押さえに柔軟性を持たせることができ、従来のものに比べて、後頭部に柔らかく当てることができる。また、ベルト押さえが板状なので、従来のフック状のものに比べて、サイズ調整部を確実に押さえ込みすることができる。
【図面の簡単な説明】
【図１】本発明のヘッドバンドの一実施例を装着したヘルメットの断面図である。
【図２】図１のヘッドバンドの斜視図（Ａ）および展開図（Ｂ）である。
【図３】図２（Ｂ）の左半部の拡大図（Ａ）およびそのイ−イ断面図（Ｂ）、ロ−ロ断面図（Ｃ）および矢視ハから見た図（Ｄ）である。
【図４】バックルの構成拡大図（Ａ）、そのニ−ニ端面図（Ｂ）、ホ−ホ端面図（Ｃ）およびヘ−ヘ端面図（Ｄ）である。
【図５】サイズ調整部をバックルに挿通させた状態の説明図（Ａ）、ト−ト端面図（Ｂ）およびチ−チ端面図（Ｃ）である。
【図６】ヘッドバンドの取付部を鋲を介してハンモックに取り付ける構造の説明図である。
【図７】ヘッドバンドの別の実施例を示す説明図である。
【図８】従来のヘッドバンドの説明図である。
【符号の説明】
１  バンド本体
１ａ  中央部
２  サイズ調整部
２ａ  係合歯
２ａ′垂直面
２ａ″傾斜面
２ｂ  側縁部
２ｂ′内面
２ｃ  指掛片
２ｄ  指掛片
３  バックル
３ａ  基板部
３ｂ  案内片
３ｂ′挿通路
３ｂ″指掛片
３ｃ  係合歯
３ｄ  プッシュ部
３ｄ′楔部
３ｄ″押込み片
３ｅ  ベルト押さえ
３ｅ′スリット
３ｆ  ベルト押さえ
３ｆ′スリット
４  取付片
４ａ  孔
４ｂ  スリット
５  接続具
Ｈ  ヘッドバンド
Ｋ  ヘルメット殻体
Ｍ  ハンモック
【図１】
0003780484.tif 000002
【図２】
0003780484.tif 000003
【図３】
0003780484.tif 000004
【図４】
0003780484.tif 000005
【図５】
0003780484.tif 000006
【図６】
0003780484.tif 000007
【図７】
0003780484.tif 000008
【図８】
0003780484.tif 000009